(57)【要約】【課題】  本発明は、構成レンズ枚数が比較的少なく、且つ所望のズーム比を有し、高い光学性能を有するズームレンズを得ること。【解決手段】  物体側から像側へ順に、負の屈折力の第１レンズ群と、正の屈折力の第２レンズ群と、１以上のレンズ群を含む後群を有し、ズーミングに際して、該第１、第２レンズ群を移動させるズームレンズにおいて、該第１レンズ群は、物体側より像側へ順に、負の屈折力の第１レンズと、正の屈折力の第２レンズとから成り、該第ｉレンズ群の焦点距離をｆｉ、広角端と望遠端における全系の焦点距離を各々ｆｗ、ｆｔとするとき、      １．５≦ｆｔ／ｆｗ      １．７５＜｜ｆ１｜／ｆ２＜２．５なる条件を満足すること。【選択図】図１
2006119193.tif 000002
【特許請求の範囲】
【請求項１】
物体側から像側へ順に、負の屈折力の第１レンズ群と、正の屈折力の第２レンズ群と、１以上のレンズ群を含む後群を有し、ズーミングに際して、該第１レンズ群、第２レンズ群が移動するズームレンズにおいて、該第１レンズ群は、物体側より像側へ順に、負の屈折力の第１レンズと、正の屈折力の第２レンズとから成り、該第１レンズ群の焦点距離をｆ１、該第２レンズ群の焦点距離をｆ２、広角端と望遠端における全系の焦点距離を各々ｆｗ、ｆｔとするとき、
１．５≦ｆｔ／ｆｗ
１．７５＜｜ｆ１｜／ｆ２＜２．５
なる条件を満足することを特徴とするズームレンズ。
【請求項２】
前記後群は、正又は負の屈折力の第３レンズ群より成ることを特徴とする請求項１のズームレンズ。
【請求項３】
前記後群は、負の屈折力の第３レンズ群と正の屈折力の第４レンズ群より成ることを特徴とする請求項１のズームレンズ。
【請求項４】
前記後群は、正の屈折力の第３レンズ群と、負の屈折力の第４レンズ群より成ることを特徴とする請求項１のズームレンズ。
【請求項５】
前記第１レンズ群は、物体側から像側へ順に、物体側の面が凸でメニスカス形状の負の屈折力の第１１レンズＧ１１と物体側の面が凸でメニスカス形状の正の屈折力の第１２レンズＧ１２より成り、
該第１１レンズＧ１１の物体側と像側の曲率半径を各々Ｒ１１、Ｒ１２、該第１２レンズＧ１２の物体側と像側の曲率半径をＲ１３、Ｒ１４とするとき、
１．５＜｜Ｒ１１／Ｒ１２｜
｜Ｒ１３／Ｒ１４｜＜１．２
なる条件を満足することを特徴とする請求項１から４のいずれか１項のズームレンズ。
【請求項６】
前記第１１レンズＧ１１と第１２レンズＧ１２の材料のアッベ数を各々ν１１、ν１２とするとき、
１．０＜ν１１／ν１２
なる条件を満足することを特徴とする請求項５のズームレンズ。
【請求項７】
全系のレンズ枚数は７枚以下であることを特徴とする請求項１から６のいずれか１項のズームレンズ。
【請求項８】
広角端から望遠端へのズーミングに際して、前記第１レンズ群は、像側に凸状の軌跡を描くように移動し、前記第２レンズ群は、物体側に移動することを特徴とする請求項１
から７のいずれか１項のズームレンズ。
【請求項９】
広角端におけるバックフォーカスが２．３ｍｍ以下であることを特徴とする請求項１から８のいずれか１項のズームレンズ。
【請求項１０】
物体側の第１レンズ面から像面までの距離が１５ｍｍ以下であることを特徴とする請求項１から９のいずれか１項のズームレンズ。
【請求項１１】
請求項１〜１０のいずれか１項のズームレンズと該ズームレンズによって形成された像を受光する固体撮像素子を有していることを特徴とする撮像装置。
【発明の詳細な説明】
【技術分野】
【０００１】
本発明はズームレンズに関し、特に小型の撮像装置（例えばデジタルスチルカメラや携帯電話やＰＤＡ等）に用いられる超小型で高い光学性能を有するズームレンズに関するものである。
【背景技術】
【０００２】
近年、携帯電話やＰＤＡ等の携帯端末には、撮影レンズとＣＣＤやＣＭＯＳといった固体撮像素子と組み合わせた撮像モジュールより成る光学機器が搭載されている。これらの光学機器では携帯に支障がないように機器全体の薄型化が進んでおり、これに伴い撮像モジュールも薄型化が進んでいる。
【０００３】
撮像モジュール、特に携帯電話用の撮像モジュールでは薄型化が容易な比較的レンズ枚数の少ない単焦点の撮影レンズの搭載が非常に多くなっている。
【０００４】
一方で、高画質化が進み１〜２メガピクセルの撮像素子を搭載した携帯電話も登場している。また一方で、撮影レンズとしてズームレンズへのニーズが高まっている。このような小型の光学機器の対応したズームレンズとしては、物体側に負レンズを配置した負レンズ先行型（ネガティブリード型）のズームレンズ系が提案されている（特許文献１、２）。
【０００５】
特許文献１では、物体側から像側へ順に、負、正、正の屈折力のレンズ群より成る３群構成で第１，第２レンズ群の間隔が減少し、第２，第３レンズ群の間隔が増加するように第１、第２レンズ群を移動させた全系として３枚のレンズより成るズームレンズが開示されている。
【０００６】
このようにレンズ枚数を少なくし、レンズ系全体の小型化を達成している。
【０００７】
さらに第３レンズ群をズーミングの際に固定とした、正の屈折力で構成することで、射出瞳を長くしつつ、レンズ系全体の小型化を図っている。
【０００８】
又、特許文献２では、全体として５ないし６枚のレンズで構成される特許文献１と同様の３群構成のズームレンズを開示している。
【０００９】
特許文献１、２のズームレンズでは、撮像素子への光線の入射角度が垂直入射から大きくずれて入射すると撮像素子の表面から受光部までの構造物によりケラレが発生するので、このときのケラレを防いでいる。
【００１０】
ところで、近年は撮像素子の改良も進み、撮像素子の表面にオンチップレンズを偏心させて配置したり、撮像素子内部に層内レンズを設けたりして入射角度が比較的大きくても前述のケラレが発生しにくい構造のものが提案されている。このように射出瞳の比較的短いズームタイプとして、物体側から像側へ順に、負、正、負の屈折力のレンズ群より成る３群ズームレンズが提案されている（特許文献３〜５）。
【００１１】
特許文献３では各レンズ群の間隔を変化させて全系の焦点距離を変化させる全体として５枚のレンズからなるズームレンズが開示されている。
【００１２】
また特許文献４では、各レンズ群の間隔をそれぞれ変化させて焦点距離を変化させるズームレンズにおいて第１レンズ群を１枚の負レンズから構成し、第２レンズ群を物体側の面が凸でメニスカス形状の正レンズから構成し、第３レンズ群を物体側の面が凸でメニスカス形状の負レンズから構成されるズームレンズを開示している。
【００１３】
特許文献５では全体として３枚から６枚のレンズで構成されるズームレンズを開示している。
【特許文献１】特開２００３−１７７３１４号公報
【特許文献２】特開２００４−４７６５号公報
【特許文献３】特開平４−１６３５１２号公報
【特許文献４】特開平５−３２３１９０号公報
【特許文献５】米国特許５２６８７９２号
【特許文献６】特開２００２−２３０５３号公報
【特許文献７】特開２００２−９０６２５号公報
【発明の開示】
【発明が解決しようとする課題】
【００１４】
特許文献１で開示されているズームレンズの各実施例は前述のメガピクセル以上のセンサーへの対応は光学性能上困難である。
【００１５】
又、特許文献２の各実施例におけるレンズ性能はメガピクセルセンサーに対応しているが、沈胴式カメラを前提として設計されているため、光学系としてのレンズ全長が長く、小型化が必ずしも十分でない。
【００１６】
特許文献１、２のズームレンズにおいては、更に構成レンズ枚数を増やすことで光学性能を向上させることができる。
【００１７】
しかしながら、射出瞳を長くするとレンズ系の有効径が全体としてセンサーサイズに近くなり、その結果としてレンズ系の厚みをより厚くする必要が生じ、ひいてはレンズ全長が長くなってくる。
【００１８】
特許文献３では、負、正、負の屈折力のレンズ群より成る３群ズームレンズとしては構成レンズ枚数が少ないが、このズームレンズは第３レンズ群の屈折力（パワー）が弱く、第３レンズ群の負レンズによるレンズ系の小型化への寄与が必ずしも十分でない。
【００１９】
また特許文献４のズームレンズでも第３レンズ群の屈折力（パワー）が非常に弱く、前述したものと同様の問題がある。また、各レンズ群が単レンズの構成のため、非常に敏感度も高い。
【００２０】
特許文献５のズームレンズはビューファインダーカメラ用としてバックフォーカスが短く、撮像素子に適用した場合には最低限必要なバックフォーカスを得ることが難しい。
【００２１】
一般に、ズームレンズを構成する各レンズ群のレンズ枚数が多いと、各レンズ群の光軸上の長さが長くなり、また各レンズ群のズーミング及びフォーカシングにおける移動量が大きいとレンズ全長が長くなり、レンズ系全体の小型化が難しくなる。
【００２２】
本発明は、構成レンズ枚数が比較的少なく、且つ所望のズーム比を有し、高い光学性能を有するズームレンズ及びそれを有する撮像装置の提供を目的とする。
【００２３】
この他本発明は、メガピクセル以上の撮像素子に対応しつつ非常にレンズ全長が短く（小型化）且つ、高い光学性能を有するズームレンズおよびそれを用いた撮像装置の提供を目的とする。
【課題を解決するための手段】
【００２４】
本発明のズームレンズは、物体側から像側へ順に、負の屈折力の第１レンズ群と、正の屈折力の第２レンズ群と、１以上のレンズ群を含む後群を有し、ズーミングに際して、該第１レンズ群、第２レンズ群が移動するズームレンズにおいて、該第１レンズ群は、物体側より像側へ順に、負の屈折力の第１レンズと、正の屈折力の第２レンズとから成り、該第１レンズ群の焦点距離をｆ１、該第２レンズ群の焦点距離をｆ２、広角端と望遠端における全系の焦点距離を各々ｆｗ、ｆｔとするとき、
１．５≦ｆｔ／ｆｗ・・・・（１）
１．７５＜｜ｆ１｜／ｆ２＜２．５・・・・（２）
なる条件を満足することを特徴としている。
【発明の効果】
【００２５】
本発明によれば、構成レンズ枚数が比較的少なく、且つ所望のズーム比を有し、高い光学性能を有するズームレンズ得られる。
【発明を実施するための最良の形態】
【００２６】
以下、本発明のズームレンズ及びそれを有する撮像装置の実施例について説明する。
【００２７】
図１は本発明の実施例１のズームレンズの広角端におけるレンズ断面図、図２、図３はそれぞれ実施例１のズームレンズの広角端、望遠端における収差図である。実施例１はズーム比１．８８、開口比３．２〜４．５４程度のズームレンズである。
【００２８】
図４は本発明の実施例２のズームレンズの広角端におけるレンズ断面図、図５、図６はそれぞれ実施例２のズームレンズの広角端、望遠端における収差図である。実施例２はズーム比１．８８、開口比３．５０〜５．０４程度のズームレンズである。
【００２９】
図７は本発明の実施例３のズームレンズの広角端におけるレンズ断面図、図８、図９はそれぞれ実施例３のズームレンズの広角端、望遠端における収差図である。実施例３はズーム比２、開口比３．７２〜５．７０程度のズームレンズである。
【００３０】
図１０は本発明の実施例４のズームレンズの広角端におけるレンズ断面図、図１１、図１２はそれぞれ実施例４のズームレンズの広角端、望遠端における収差図である。実施例４はズーム比２、開口比３．００〜４．４７程度のズームレンズである。
【００３１】
図１３は本発明の実施例５のズームレンズの広角端におけるレンズ断面図、図１４、図１５はそれぞれ実施例５のズームレンズの広角端、望遠端における収差図である。実施例５はズーム比２．４８、開口比３．００〜５．２３程度のズームレンズである。
【００３２】
図１６は本発明の実施例６のズームレンズの広角端におけるレンズ断面図、図１７、図１８はそれぞれ実施例６のズームレンズの広角端、望遠端における収差図である。実施例６はズーム比２、開口比３．３７〜５．２２程度のズームレンズである。
【００３３】
図１９は本発明の実施例７のズームレンズの広角端におけるレンズ断面図、図２０、図２１はそれぞれ実施例７のズームレンズの広角端、望遠端における収差図である。実施例７はズーム比２、開口比３．００〜４．６１程度のズームレンズである。
【００３４】
図２２は本発明の実施例８のズームレンズの広角端におけるレンズ断面図、図２３、図２４はそれぞれ実施例８のズームレンズの広角端、望遠端における収差図である。実施例８はズーム比１．９４、開口比２．８８〜４．１５程度のズームレンズである。
【００３５】
図２５は本発明の実施例９のズームレンズの広角端におけるレンズ断面図、図２６、図２７はそれぞれ実施例９のズームレンズの広角端、望遠端における収差図である。実施例９はズーム比２．４９、開口比３．００〜５．３１程度のズームレンズである。
【００３６】
図２８は本発明の実施例１０のズームレンズの広角端におけるレンズ断面図、図２９、図３０はそれぞれ実施例１０のズームレンズの広角端、望遠端における収差図である。実施例１０はズーム比１．９７、開口比２．８８〜４．２７程度のズームレンズである。
【００３７】
図３１は、本発明のズームレンズを有した携帯機器の概略図である。
【００３８】
図３２は、本発明のズームレンズを有した撮像装置の概略図である。
【００３９】
各実施例のズームレンズは、撮像装置（光学機器）に用いられる撮影レンズ系であり、レンズ断面図において、左方が物体側で、右方が像側である。
【００４０】
レンズ断面図において、Ｌ１は負の屈折力（光学的パワー＝焦点距離の逆数）の第１レンズ群、Ｌ２は正の屈折力の第２レンズ群、Ｌ３は正又は負の屈折力の第３レンズ群、Ｌ４は正又は負の屈折力の第４レンズ群である。
【００４１】
ＳＰは開口絞りである。
【００４２】
Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面に相当する感光面が置かれる。
【００４３】
収差図において、ｄ，ｇは各々ｄ線及びｇ線、ΔＭ、ΔＳはメリディオナル像面、サジタル像面、倍率色収差はｇ線によって表している。
【００４４】
尚、以下の各実施例において広角端と望遠端は変倍用レンズ群（第２レンズ群Ｌ２）が機構上、光軸上移動可能な範囲の両端に位置したときのズーム位置をいう。
【００４５】
各実施例では、物体側から像側へ順に、負の屈折力の第１レンズ群と、正の屈折力の第２レンズ群と、１以上のレンズ群を含む後群を有し、ズーミングに際して、該第１、第２レンズ群を移動させている。
【００４６】
特に広角端から望遠端へのズーミングに際して、第１レンズ群Ｌ１は、像側に凸状の軌跡を描くように移動し、第２レンズ群Ｌ２は、物体側に移動している。
【００４７】
尚、後群は、正又は負の屈折力の第３レンズ群より成ること、又は負の屈折力の第３レンズ群と、正の屈折力の第４レンズ群より成ること、又は、正の屈折力の第３レンズ群と、負の屈折力の第４レンズ群より成っている。
【００４８】
第１レンズ群Ｌ１は、物体側より像側へ順に、負の屈折力の第１レンズと正の屈折力の第２レンズとから構成されることを基本構成としている。
【００４９】
このようにレンズ群を３群以上有することで、メガピクセル以上のセンサーへの対応ができる良好な光学性能を得ている。
【００５０】
また、第１レンズ群Ｌ１を負と正の屈折力の２枚のレンズのみで構成することで、レンズ群内における偏芯で発生する収差を相対的に打ち消しあい、レンズ群内の敏感度の低減を図り、さらには少ないレンズ枚数（全体として７枚以下）での全系の小型化を図っている。
【００５１】
◎本実施例では、望遠端の焦点距離をｆｔ、広角端の焦点距離をｆｗ、第１レンズ群Ｌ１の焦点距離をｆ１、第２レンズ群Ｌ２の焦点距離をｆ２とするとき、
１．５≦ｆｔ／ｆｗ・・・・（１）
１．７５＜｜ｆ１｜／ｆ２＜２．５・・・・（２）
を満足している。
【００５２】
次に各条件式の技術的内容を説明する。
【００５３】
条件式（１）と、条件式（２）は、レンズ系全体のパワー（屈折力）、及び各レンズ群のパワー配置を規定しており、ズーミングの際に移動する第２レンズ群Ｌ２のパワーを強くすることにより、第１、第２レンズ群間の距離を短くして、レンズ系全体の小型化を達成する為のものである。
【００５４】
条件式（１）を満足しても、条件式（２）の下限を超えてしまうと、所定の変倍比を得るのに第１レンズ群Ｌ１と第２レンズ群Ｌ２との間隔を大きくしなければならず、広角端でのレンズ全長が長くなってしまう。逆に上限を超えてしまうと、望遠側でのテレ比が大きくなり、望遠端でのレンズ全長が大きくなってくる。
【００５５】
更に好ましくは、条件式（１）、（２）の数値範囲を
１．７≦ｆｔ／ｆｗ・・・（１ａ）
１．８０  ＜  ｜ｆ１｜／ｆ２  ＜  ２．３５・・・（２ａ）
とするのが良く、これによれば更なるレンズ系全体の小型化及び高い光学性能を得るのが容易となる。
【００５６】
以上のように各実施例では、条件式（１）、（２）を満足することによって、レンズ系全体を小型化し、高い光学性能を維持しつつレンズの構成枚数を減らした簡易な構成のズームレンズを得ている。
【００５７】
◎第１レンズ群Ｌ１は、物体側から像側へ順に、物体側の面が凸でメニスカス形状の負の屈折力の第１１レンズＧ１１と物体側の面が凸でメニスカス形状の正の屈折力の第１２レンズＧ１２より成り、第１１レンズＧ１１の物体側と像側の曲率半径を各々Ｒ１１、Ｒ１２、第１２レンズＧ１２の物体側と像側の曲率半径をＲ１３、Ｒ１４とするとき、
１．５＜｜Ｒ１１／Ｒ１２｜・・・・（３）
｜Ｒ１３／Ｒ１４｜＜１．２・・・・（４）
なる条件を満足している。
【００５８】
条件式（３）、（４）は、第１レンズ群Ｌ１に使用する２つのレンズの各レンズ面の曲率半径を規定する式であり、条件式（３）、（４）から外れてしまうと、第１レンズ群Ｌ１のパワーが弱くなってしまい、レンズ系全体の小型化が困難となる。
【００５９】
更に好ましくは、条件式（３）、（４）の数値範囲を次の如く設定するのが良い。
【００６０】
１．８＜｜Ｒ１１／Ｒ１２｜・・・・（３ａ）
｜Ｒ１３／Ｒ１４｜＜１．０・・・・（４ａ）
◎第１１レンズＧ１１と第１２レンズＧ１２の材料のアッベ数を各々ν１１、ν１２とするとき、
１．０＜ν１１／ν１２・・・・（５）
なる条件を満足している。
【００６１】
条件式（５）は、第１レンズ群Ｌ１に使用する２つのレンズの材料のアッベ数を規定する式であり、条件式（５）から外れてしまうと、軸上色収差の良好なる補正が困難となり好ましくない。
【００６２】
更に好ましくは、条件式（５）の数値を次の如く設定するのが良い。
【００６３】
１．１＜ν１１／ν１２・・・・（５ａ）
◎本実施例におけるズームレンズは、携帯電話やＰＤＡ等の携帯端末に搭載用の撮影レンズとして用いるときには、ズームレンズを保持する鏡筒は沈胴しないタイプとし、コンパクト化のため、後述する数値実施例をｍｍ単位を表わしたときバックフォーカスを２．３ｍｍ以下にし、第１レンズ群Ｌ１の最も物体側のレンズ面からセンサー面（撮像面）までの距離を１５ｍｍ以内としている。
【００６４】
◎無限遠物体から近距離物体へフォーカスフォーカスを行う場合は第３レンズ群Ｌ３を後方へ移動することによって行っている。尚その他のレンズ群もしくはレンズ全体を動かしてフォーカスを行ってもよい。
【００６５】
◎広角端から望遠端へのズーミングに際して、像面に最も近いレンズ群が正の屈折力を有するとき、第１レンズ群Ｌ１は、像側に凸状の軌跡を描くように移動し、第２レンズ群は、像面に最も近いレンズ群との間隔が広がるように像側から物体側へ移動している。
【００６６】
次に各実施例のズームレンズの特徴について順次説明する。
【００６７】
◎まずは、図１，図４，図７，図１０，図１３の実施例１〜５について説明する。
【００６８】
実施例１〜５のズームレンズは、物体側より像側へ順に、負の屈折力の第１レンズ群Ｌ１、正の屈折力の第２レンズ群Ｌ２、正の屈折力の第３レンズ群Ｌ３の３つのレンズ群を有しており、広角端から望遠端へのズーミングに際して、第１レンズ群Ｌ１が像側に凸状の軌跡を描くように移動し、絞りＳＰと第２レンズ群Ｌ２が物体側に一体に移動し、第３レンズ群Ｌ３は固定もしくは像面側に移動している。
【００６９】
実施例１〜５のズームレンズは、第２レンズ群Ｌ２の移動により主な変倍を行い、第１レンズ群Ｌ１の像側に凸状の軌跡を描く移動によって変倍に伴う像点の移動を補正している。また、絞りＳＰを第２レンズ群Ｌ２の最も物体側に置き、広角側での入射瞳と第１レンズ群Ｌ１との距離を縮めることで第１レンズ群Ｌ１を構成するレンズの外径の増大を抑えると共に、第２レンズ群Ｌ２の物体側に配置した絞りＳＰを挟んで第１レンズ群Ｌ１と第３レンズ群Ｌ３とで軸外の諸収差を打ち消すことで構成レンズ枚数を増やさずに良好な光学性能を得ている。
【００７０】
実施例１〜５のズームレンズは、第１レンズ群Ｌ１が少なくとも１枚の負レンズと１枚の正レンズを有している。そしてレンズ系全体としてレンズ構成枚数が７枚以下で構成している。
【００７１】
図１の実施例１においては全体として５枚のレンズより成っている。
【００７２】
負の屈折力の第１レンズ群Ｌ１を物体側から像側へ順に、像側の面が凹でメニスカス形状の負レンズ、物体側の面が凸でメニスカス形状の正レンズの２枚のレンズで構成している。
【００７３】
正の屈折力の第２レンズ群Ｌ２を物体側から像側へ順に、両レンズ面が凸形状の正レンズ、両レンズ面が凹形状の負レンズで構成している。また、正の屈折力の第３レンズ群Ｌ３を像側の面が凹でメニスカス形状の正レンズで構成している。
【００７４】
図４の実施例２においては全体として５枚のレンズより成っている。第１、第２レンズ群Ｌ１、Ｌ２は実施例１と同じである。
【００７５】
正の屈折力の第３レンズ群を両レンズ面が凸形状の正レンズで構成している。
【００７６】
図７の実施例３においては全体として４枚のレンズより構成している。
【００７７】
負の屈折力の第１レンズ群Ｌ１を物体側から像側へ順に、像側の面が凹でメニスカス形状の負レンズ、物体側の面が凸でメニスカス形状の正レンズの２枚のレンズで構成している。
【００７８】
正の屈折力の第２レンズ群Ｌ２を、両レンズ面が凸形状の正レンズで構成している。また、正の屈折力の第３レンズ群Ｌ３を両レンズ面が凸形状の正レンズで構成している。
【００７９】
図１０の実施例４においては、全体として６枚のレンズで構成している。
【００８０】
負の屈折力の第１レンズ群Ｌ１を物体側から像側へ順に像の面が凹でメニスカス形状の負レンズ、物体側の面が凸でメニスカス形状の正レンズの２枚のレンズで構成している。
【００８１】
正の屈折力の第２レンズ群Ｌ２を物体側から像側へ順に、両レンズ面が凸形状の正レンズ、物体側の面が凸でメニスカス形状の負レンズ、両レンズ面が凹形状の負レンズの３枚のレンズで構成している。また、正の屈折力の第３レンズ群Ｌ３を両レンズ面が凸形状の正レンズで構成している。
【００８２】
図１３の実施例５においては全体として７枚のレンズで構成している。
【００８３】
負の屈折力の第１レンズ群Ｌ１を物体側から像側へ順に、像側の面が凹でメニスカス形状の負レンズ、物体側の面が凸でメニスカス形状の正レンズの２枚のレンズで構成している。
【００８４】
正の屈折力の第２レンズ群Ｌ２を物体側から像側へ順に、両レンズ面が凸形状の正レンズ、同じく両レンズ面が凸形状の正レンズ、両レンズ面が凹形状の負レンズ、像側の面が凸形状の負レンズの４枚のレンズで構成している。また、正の屈折力の第３レンズ群Ｌ３を両レンズ面が凸形状の正レンズで構成している。
【００８５】
以上のように各レンズ群を所望の屈折力配置と収差補正とを両立するレンズ構成とすることにより、良好な光学性能を保ちつつ、レンズ系をコンパクトにしている。
【００８６】
第１レンズ群Ｌ１は、軸外主光線を絞りＳＰ中心に瞳結像させる役割を持っており、特に広角側においては軸外主光線の屈折量が大きいために軸外諸収差、特に非点収差と歪曲収差が発生し易い。そこで、実施例１〜５では第１レンズ群Ｌ１を通常の広角型のレンズ系と同様、最も物体側のレンズ有効径の増大が抑えられる負レンズと正レンズで構成している。
【００８７】
そして、負レンズの像側のレンズ面を非球面とすることにより、非点収差と歪曲収差をバランス良く補正すると共に、２枚と言う少ない枚数で第１レンズ群Ｌ１を構成し、レンズ全体をコンパクトにしている。
【００８８】
次に第２レンズ群Ｌ２は、少なくとも１枚の両レンズ面が凸形状の正レンズを有し、第１レンズ群Ｌ１を射出した軸外主光線の屈折角を少なくし、軸外諸収差が発生しない様な形状としている。また、正レンズは、最も軸上光線の通る高さが高く、主に球面収差、コマ収差の補正に関与している。また、実施例１〜５においては、正レンズの物体側のレンズ面を非球面とするのが良い。これによれば、球面収差、コマ収差を良好に補正するのが容易となる。
【００８９】
また、実施例１，２では、正レンズの像面側に負レンズを配置し、正レンズのみでは補正できない軸上色収差及び倍率色収差の補正を行っている。更に実施例４、５では、レンズ枚数を増やし、収差補正を効果的に行っている。
【００９０】
次に第３レンズ群Ｌ３は、両レンズ面が凸形状の正レンズもしくは像側の面が凹でメニスカス形状の正レンズより構成している。レンズ構成枚数の少ない実施例１，２，３では正レンズの物体側の面は非球面形状であり、これによりズーム全域での軸外諸収差を良好に補正している。
【００９１】
◎次に、図１６，図１９，図２２の実施例６〜８について説明する。
【００９２】
実施例６〜８のズームレンズでは、物体側より像側へ順に、負の屈折力の第１レンズ群Ｌ１、正の屈折力の第２レンズ群Ｌ２、負の屈折力の第３レンズ群Ｌ３の３つのレンズ群を有しており、広角端から望遠端へのズーミングに際して、第１レンズ群Ｌ１が像側に凸状の軌跡を描くように移動し、絞りＳＰと第２レンズ群Ｌ２が物体側に一体に移動し、また、第３レンズ群Ｌ３は、第２レンズ群と異なる移動量にて、物体側に移動している。
【００９３】
これらのズームレンズは、第２レンズ群Ｌ２の移動により主な変倍を行い、第１レンズ群Ｌ１の像側に凸状の軌跡を描く移動によって変倍に伴う像点の移動を補正している。また、絞りＳＰを第２レンズ群Ｌ２の最も物体側に置き、広角側での入射瞳と第１レンズ群Ｌ１との距離を縮めることで第１レンズ群Ｌ１を構成するレンズの外径の増大を抑えると共に、第２レンズ群Ｌ２の物体側に配置した絞りＳＰを挟んで第１レンズ群Ｌ１と第３レンズ群Ｌ３とで軸外の諸収差を打ち消すことで構成レンズ枚数を増やさずに良好な光学性能を得ている。
【００９４】
実施例６〜８のズームレンズは、３群構成にて第１レンズ群Ｌ１が少なくとも１枚の負レンズと１枚の正レンズを有している。そして全体としてレンズ構成枚数が７枚以下で構成している。
【００９５】
図１６の実施例６においては全体として５枚のレンズより成っている。
【００９６】
負の屈折力の第１レンズ群Ｌ１を物体側から像側へ順に両レンズ面が凹形状の負レンズ、物体側の面が凸でメニスカス形状の正レンズの２枚のレンズで構成している。
【００９７】
正の屈折力の第２レンズ群Ｌ２を物体側から像側へ順に、両レンズ面が凸形状の正レンズ、両レンズ面が凹形状の負レンズで構成している。
【００９８】
また、負の屈折力の第３レンズ群を物体側の面が凹でメニスカス形状の負レンズで構成している。
図１９の実施例７においては全体として６枚のレンズより成っている。
【００９９】
負の屈折力の第１レンズ群Ｌ１を物体側から像側へ順に、像側の面が凹でメニスカス形状の負レンズ、物体側の面が凸でメニスカス形状の正レンズの２枚のレンズで構成している。
【０１００】
正の屈折力の第２レンズ群Ｌ２を物体側から像側へ順に、両レンズ面が凸形状の正レンズ、物体側の面が凹でメニスカス形状の負レンズ、両レンズ面が凸形状の正レンズの３枚のレンズで構成され、物体側に近い正レンズと負レンズは接合レンズとしている。
【０１０１】
また、負の屈折力の第３レンズ群Ｌ３を両レンズ面が凹形状の負レンズで構成している。
【０１０２】
図２２の実施例８においては全体として７枚のレンズより成っている。負の屈折力の第１レンズ群Ｌ１を物体側から像側へ順に像側の面が凹でメニスカス形状の負レンズ、物体側の面が凸でメニスカス形状の正レンズの２枚のレンズで構成している。
【０１０３】
正の屈折力の第２レンズ群Ｌ２を物体側から像側へ順に、両レンズ面が凸形状の正レンズ、両レンズ面が凹形状の負レンズ、両レンズ面が凸形状の正レンズの３枚のレンズで構成し、物体側に近い正レンズと負レンズは接合レンズとしている。
【０１０４】
また、負の屈折力の第３レンズ群Ｌ３を物体側の面が凹でメニスカス形状の２つの負レンズで構成し、両レンズを接合レンズとしている。
【０１０５】
以上のように各レンズ群を所望の屈折力配置と収差補正とを両立するレンズ構成とすることにより、良好な光学性能を保ちつつ、レンズ系をコンパクトにしている。
【０１０６】
前記実施例1〜５の負、正、正の屈折力の３つのレンズ群を有するズームレンズと同様、第１レンズ群Ｌ１は、軸外主光線を絞り中心に瞳結像させる役割を持っており、特に広角側においては軸外主光線の屈折量が大きいために軸外諸収差、特に非点収差と歪曲収差が発生し易い。
【０１０７】
そこで、実施例６〜８では第１レンズ群Ｌ１を通常の広角型レンズ系と同様、最も物体側のレンズ径の増大が抑えられる負レンズと正レンズで構成している。
【０１０８】
そして、負レンズの像側のレンズ面を非球面とすることにより、非点収差と歪曲収差をバランス良く補正すると共に、２枚と言う少ない枚数で第１レンズ群Ｌ１を構成し、レンズ全体をコンパクトにしている。
【０１０９】
次に第２レンズ群Ｌ２は、最も物体側に両レンズ面が凸形状の正レンズを配置し、第１レンズ群Ｌ１を射出した軸外主光線の屈折角を少なくし、軸外諸収差が発生しない様な形状としている。
【０１１０】
また、正レンズは、最も軸上光線の通る高さが高く、主に球面収差、コマ収差の補正に関与している。
【０１１１】
また、実施例６〜８においては、正レンズの物体側のレンズ面を非球面とするのが良い。これによれば、球面収差、コマ収差を良好に補正するのが容易となる。
【０１１２】
また、実施例６では、正レンズの像面側に負レンズを配置し、正レンズのみでは補正できない軸上色収差及び倍率色収差の補正を行っている。更に実施例７、８では、レンズ枚数を増やし、収差補正を効果的に行っている。
【０１１３】
次に第３レンズ群Ｌ３は、両レンズ面が凹形状の負レンズもしくは像側の面が凹でメニスカス形状の負レンズより構成している。この第３レンズ群Ｌ３はバックフォーカスを短くする為に光線を跳ね上げているため、このときの軸外ハロやコマ収差の発生を補正するために１面を非球面形状としている。
【０１１４】
◎次に、図２５の実施例９について説明する。
【０１１５】
実施例９のズームレンズでは、物体側より像側へ順に、負の屈折力の第１レンズ群Ｌ１、正の屈折力の第２レンズ群Ｌ２、負の屈折力の第３レンズ群Ｌ３、正の屈折力の第４レンズ群Ｌ４の４つのレンズ群を有しており、広角端から望遠端へのズーミングに際して、第１レンズ群Ｌ１が像側に凸状の軌跡を描くように移動し、絞りＳＰと第２レンズ群Ｌ２が物体側に一体に移動し、第３レンズ群Ｌ３は物体側に移動し、第４レンズ群Ｌ４は固定である。
【０１１６】
実施例９のズームレンズは、第２レンズ群Ｌ２の移動により主な変倍を行い、第１レンズ群Ｌ１の像側に凸状の軌跡を描く移動によって変倍に伴う像点の移動を補正している。また、絞りＳＰを第２レンズ群Ｌ２の最も物体側に置き、広角側での入射瞳と第１レンズ群Ｌ１との距離を縮めることで第１レンズ群Ｌ１を構成するレンズの有効外径の増大を抑えると共に、第２レンズ群Ｌ２の物体側に配置した絞りＳＰを挟んで第１レンズ群Ｌ１と第３レンズ群Ｌ３、第４レンズ群Ｌ４とで軸外の諸収差を打ち消すことで構成レンズ枚数を増やさずに良好な光学性能を得ている。
【０１１７】
実施例９のズームレンズは、４群構成にて第１レンズ群Ｌ１が少なくとも１枚の負レンズと１枚の正レンズを有している。そして全体としてレンズ構成枚数が７枚以下のレンズにて構成している。
【０１１８】
図２５の実施例９においては負の屈折力の第１レンズ群Ｌ１を物体側から像側へ順に像側の面が凹でメニスカス形状の負レンズ、物体側の面が凸でメニスカス形状の正レンズの２枚のレンズで構成している。
【０１１９】
正の屈折力の第２レンズ群Ｌ２を物体側から像側へ順に、両レンズ面が凸形状の正レンズ、同じく両レンズ面が凸形状の正レンズ、両レンズ面が凹形状の負レンズの３枚のレンズで構成している。負の屈折力の第３レンズ群Ｌ３は像側の面が凸形状の負レンズで構成している。
【０１２０】
正の屈折力の第４レンズ群Ｌ４を両レンズ面が凸形状の正レンズで構成している。
【０１２１】
以上のように各レンズ群を所望の屈折力配置と収差補正とを両立するレンズ構成とすることにより、良好な光学性能を保ちつつ、レンズ系をコンパクトにしている。
【０１２２】
また、この実施例９のズームレンズは、前記実施例１〜５の負、正、正の屈折力の３つのレンズ群を有するズームレンズの第２レンズ群Ｌ２を正のレンズ群と負のレンズ群の２つに分割し、ズーム機構を分けることにより、同等の光学全長を保ちつつ、更に光学的に高い性能を達成している。
【０１２３】
◎次に図２８の実施例１０について説明する。
【０１２４】
実施例１０のズームレンズでは、物体側より像側へ順に、負の屈折力の第１レンズ群Ｌ１、正の屈折力の第２レンズ群Ｌ２、正の屈折力の第３レンズ群Ｌ３、負の屈折力の第４レンズ群Ｌ４の４つのレンズ群を有しており、広角端から望遠端へのズーミングに際して、第１レンズ群Ｌ１が像側に凸状の軌跡を描くように移動し、絞りＳＰと第２レンズ群Ｌ２が物体側に一体に移動し、第３レンズ群Ｌ３、第４レンズ群Ｌ４も物体側に移動している。
【０１２５】
実施例１０のズームレンズは、第２レンズ群Ｌ２の移動により主な変倍を行い、第１レンズ群Ｌ１の像側に凸状の軌跡を描く移動によって変倍に伴う像点の移動を補正している。また、絞りＳＰを第２レンズ群Ｌ２の最も物体側に置き、広角側での入射瞳と第１レンズ群Ｌ１との距離を縮めることで第１レンズ群Ｌ１を構成するレンズの有効外径の増大を抑えると共に、第２レンズ群Ｌ２の物体側に配置した絞りＳＰを挟んで第１レンズ群Ｌ１と第３レンズ群Ｌ３、第４レンズ群Ｌ４とで軸外の諸収差を打ち消すことで構成レンズ枚数を増やさずに良好な光学性能を得ている。
【０１２６】
実施例１０のズームレンズは、４群構成にて第１レンズ群Ｌ１が少なくとも１枚の負レンズと１枚の正レンズを有している。そして全体としてレンズ構成枚数が７枚以下のレンズにて構成している。
【０１２７】
図２８の実施例１０においては負の屈折力の第１レンズ群Ｌ１を物体側から像側へ順に、像側の面が凹でメニスカス形状の負レンズ、物体側の面が凸でメニスカス状の正レンズの２枚のレンズで構成している。
【０１２８】
正の屈折力の第２レンズ群Ｌ２を物体側から像側へ順に、両レンズ面が凸形状の正レンズ、物体側の面が凹でメニスカス状の負レンズの２枚のレンズで構成している。
【０１２９】
また、正の屈折力の第３レンズ群Ｌ３は、像面側の面が凸でメニスカス形状の正レンズ、負の屈折力の第４レンズ群Ｌ４は物体側の面が凹でメニスカス形状の２つの負レンズより構成している。
【０１３０】
以上のように各レンズ群を所望の屈折力配置と収差補正とを両立するレンズ構成とすることにより、良好な光学性能を保ちつつ、レンズ系をコンパクトにしている。
【０１３１】
また、この実施例１０のズームレンズは、前記実施例６〜８の負、正、負の屈折力の３つのレンズ群を有するズームレンズの第２レンズ群Ｌ２を２つの正のレンズ群に分割し、ズーム機構を分けることにより、同等の光学全長を保ちつつ、更に光学的に高い性能を達成している。
【０１３２】
以上のように各実施例によれば３群以上からなるズームレンズで、構成レンズ枚数が少なくても前述の如く各レンズ群の屈折力を設定することでレンズ系全体の小型化を図りつつメガピクセル以上の撮像素子にも対応可能な、良好な光学性能のズームレンズを達成している。
【０１３３】
次に本発明の数値実施例を示す。尚、数値実施例においてｉは物体側からの順番を示し、Ｒｉは物体側より順にｉ番目の面の曲率半径、Ｄｉは物体側より順にｉ番目のレンズ厚および空気間隔、Ｎｉとνｉはそれぞれ物体側より順にｉ番目の材料のｄ線での屈折率とアッベ数である。
【０１３４】
非球面形状は光軸方向にＸ軸、光軸と垂直方向にＨ軸、光の進行方向を正とし、Ｒを近軸曲率半径、ｋを離心率、Ｂ、Ｃ、Ｄ、Ｅを各々非球面係数としたとき
【０１３５】
【数１】
2006119193.tif 000003
【０１３６】
なる式で表している。
また例えば「ｅ−Ｚ」の表示は「１０−Ｚ」を意味する。ｆは焦点距離、ＦｎｏはＦナンバー、ωは半画角を示す。
【０１３７】
又、前述の各条件式と各数値実施例との関係を表１の示す。
数値実施例 １  
ｆ＝3.80〜 7.15  Ｆｎｏ＝ 3.20 〜 4.54  ２ω＝63.2゜ 〜 34.9゜
R 1 =   12.009      D 1 =  0.50      N 1 = 1.530410      ν 1 = 56.0
R 2 =    2.251      D 2 =  0.54
R 3 =    2.125      D 3 =  0.95      N 2 = 1.859600      ν 2 = 40.4
R 4 =    2.188      D 4 =  可変
R 5 =    絞り       D 5 =  0.10
R 6 =    1.983      D 6 =  1.00      N 3 = 1.773470      ν 3 = 47.2
R 7 =   -4.161      D 7 =  0.38
R 8 =   -7.251      D 8 =  0.50      N 4 = 1.906808      ν 4 = 21.2
R 9 =    2.344      D 9 =  可変
R10 = -311.442      D10 =  1.30      N 5 = 1.583060      ν 5 = 30.2
R11 =   -3.144      D11 =  0.50
R12 =    ∞         D12 =  0.70      N 6 = 1.516330      ν 6 = 64.1
R13 =    ∞
＼焦点距離   3.80    5.07    7.15
可変間隔＼
D 4           2.89    1.51     0.30
D 9           1.21    1.94     3.15
非球面係数
R2 ｋ=-1.83986e-01 Ｂ=1.24001e-02 Ｃ=2.19434e-03 Ｄ=3.41949e-04 Ｅ=-1.95515e-05 
R3 ｋ=-4.15194e-01 Ｂ=9.22038e-03 Ｃ=1.94799e-04 Ｄ=8.35231e-04 Ｅ=-1.13528e-04 
R6 ｋ=-1.25416e+00 Ｂ=6.00255e-03 Ｃ=-6.33555e-03 Ｄ=2.80526e-03 Ｅ=-8.30079e-04 
R9 ｋ=3.88096e+00 Ｂ=8.73855e-03 Ｃ=-5.27851e-02 Ｄ=8.25766e-02 Ｅ=-8.04026e-02 
R10 ｋ=-2.10600e+06 Ｂ=-4.49747e-03 Ｃ=6.97414e-04 Ｄ=-1.15875e-04 Ｅ=6.32031e-06
数値実施例 ２
ｆ＝3.80〜 7.14  Ｆｎｏ＝ 3.50 〜 5.04  ２ω＝63.3゜ 〜 34.8゜
R 1 =  110.952      D 1 =  0.50      N 1 = 1.524700      ν 1 = 56.2
R 2 =    1.891      D 2 =  0.43
R 3 =    2.375      D 3 =  0.95      N 2 = 1.882997      ν 2 = 40.8
R 4 =    3.387      D 4 =  可変
R 5 =    絞り       D 5 =  0.10
R 6 =    2.152      D 6 =  1.00      N 3 = 1.773770      ν 3 = 47.2
R 7 =   -4.522      D 7 =  0.33
R 8 =  -12.838      D 8 =  0.50      N 4 = 1.906808      ν 4 = 21.2
R 9 =    2.421      D 9 =  可変
R10 =   10.891      D10 =  1.30      N 5 = 1.583060      ν 5 = 30.2
R11 =   -6.131      D11 =  0.50
R12 =    ∞         D12 =  0.70      N 6 = 1.516330      ν 6 = 64.1
R13 =    ∞ 
＼焦点距離   3.80    5.27    7.14
可変間隔＼
D 4           2.79    1.31     0.30
D 9           1.34    2.44     3.83
非球面係数
R2 ｋ=-4.71683e-02 Ｂ=-2.92201e-03 Ｃ=7.77841e-04 Ｄ=-3.80306e-04 Ｅ=-1.76887e-04 
R6 ｋ=-1.09780e+00 Ｂ=2.33860e-03 Ｃ=-1.08221e-03 Ｄ=-4.54431e-03 Ｅ=3.51702e-03 
R9 ｋ=5.15712e-01 Ｂ=2.52169e-02 Ｃ=-1.64825e-03 Ｄ=1.99190e-02 Ｅ=-1.39614e-02 
R10 ｋ=2.60279e+00 Ｂ=-2.26755e-03 Ｃ=9.18031e-04 Ｄ=-1.50534e-04 Ｅ=9.98272e-06
数値実施例 ３ 
ｆ＝3.75〜 7.50  Ｆｎｏ＝ 3.72 〜 5.70  ２ω＝54.3゜ 〜 25.8゜
R 1 =    4.797      D 1 =  1.20      N 1 = 1.901355      ν 1 = 31.6
R 2 =    2.334      D 2 =  0.59
R 3 =    3.600      D 3 =  1.20      N 2 = 1.846660      ν 2 = 23.8
R 4 =    4.900      D 4 =  可変
R 5 =    絞り       D 5 =  0.15
R 6 =    5.630      D 6 =  0.85      N 3 = 1.487490      ν 3 = 70.2
R 7 =   -5.110      D 7 =  可変
R 8 =    7.544      D 8 =  0.97      N 4 = 1.487490      ν 4 = 70.2
R 9 =  -24.379      D 9 =  可変
R10 =    ∞         D10 =  0.30      N 5 = 1.516330      ν 5 = 64.1
R11 =    ∞
＼焦点距離   3.75    5.12    7.50
可変間隔＼
D 4           5.28    3.71     1.50
D 7           0.70    4.03     6.87
D 9           3.05    1.76     0.66
非球面係数
R2 ｋ=-6.27185e-01 Ｂ=5.08216e-03 Ｃ=1.61761e-04 Ｄ=2.61937e-05 Ｅ=1.25814e-05 
R6 ｋ=-1.65518e+01 Ｂ=-1.21900e-02 Ｃ=1.16042e-01 Ｄ=-2.60088e-01 Ｅ=2.08789e-01 
R8 ｋ=-1.97176e+01 Ｂ=9.91648e-06 Ｃ=1.22098e-04 Ｄ=-5.96814e-05 Ｅ=-4.32276e-05
数値実施例 ４ 
ｆ＝3.80〜 7.60  Ｆｎｏ＝ 3.00 〜 4.47  ２ω＝63.1゜ 〜 33.1゜
R 1 =    9.236      D 1 =  0.65      N 1 = 1.677900      ν 1 = 54.9
R 2 =    1.944      D 2 =  0.41
R 3 =    2.492      D 3 =  1.00      N 2 = 1.882997      ν 2 = 40.8
R 4 =    3.921      D 4 =  可変
R 5 =    絞り       D 5 =  0.18
R 6 =    2.228      D 6 =  1.00      N 3 = 1.772499      ν 3 = 49.6
R 7 =   -6.528      D 7 =  0.15
R 8 =   18.631      D 8 =  0.50      N 4 = 1.846660      ν 4 = 23.8
R 9 =    2.412      D 9 =  0.27
R10 =  -42.867      D10 =  0.60      N 5 = 1.696797      ν 5 = 55.5
R11 =    9.011      D11 =  可変
R12 =    6.843      D12 =  1.20      N 6 = 1.603112      ν 6 = 60.6
R13 =   -9.077      D13 =  0.50
R14 =    ∞         D14 =  0.70      N 7 = 1.516330      ν 7 = 64.1
R15 =    ∞
＼焦点距離   3.80    5.73    7.60
可変間隔＼
D 4           3.54    1.36     0.30
D11           0.53    2.18     3.77
非球面係数
R2 k=-2.06707e-01 Ｂ=-5.27341e-04 Ｃ=-3.76928e-04 Ｄ=4.42461e-04 Ｅ=-1.40772e-04 
R6 ｋ=-8.75641e-01 Ｂ=4.90884e-03 Ｃ=-2.31194e-03 Ｄ=1.32327e-03 Ｅ=-7.14101e-04 
R9 ｋ=3.64402e+00 Ｂ=1.48176e-03 Ｃ=-2.76030e-02 Ｄ=4.16267e-02 Ｅ=-4.29133e-02 
数値実施例 ５ 
ｆ＝3.82〜 9.47  Ｆｎｏ＝ 3.00 〜 5.23  ２ω＝58.6゜ 〜 25.9゜
R 1 =    6.137      D 1 =  0.65      N 1 = 1.772499      ν 1 = 49.6
R 2 =    1.957      D 2 =  0.66
R 3 =    2.855      D 3 =  1.20      N 2 = 1.882997      ν 2 = 40.8
R 4 =    4.490      D 4 =  可変
R 5 =    絞り       D 5 =  0.10
R 6 =    3.004      D 6 =  0.90      N 3 = 1.772499      ν 3 = 49.6
R 7 =  -13.537      D 7 =  0.15
R 8 =    8.377      D 8 =  0.90      N 4 = 1.693501      ν 4 = 53.2
R 9 =   -8.678      D 9 =  0.15
R10 =   -9.278      D10 =  0.50      N 5 = 1.805181      ν 5 = 25.4
R11 =    2.394      D11 =  0.27
R12 =  -19.441      D12 =  0.80      N 6 = 1.696797      ν 6 = 55.5
R13 =  -35.497      D13 =  可変
R14 =    6.827      D14 =  1.20      N 7 = 1.804000      ν 7 = 46.6
R15 =  -29.076      D15 =  0.50
R16 =    ∞         D16 =  0.70      N 8 = 1.516330      ν 8 = 64.1
R17 =    ∞         
＼焦点距離   3.82    6.53    9.47
可変間隔＼
D 4           4.68    1.63     0.30
D13           0.90    3.00     5.28
非球面係数
R2 ｋ=-4.36329e-01 Ｂ=1.46729e-03 Ｃ=3.30080e-05 Ｄ=1.67504e-04 Ｅ=-3.21645e-05 
R6 ｋ=-3.33822e+00 Ｂ=1.15718e-02 Ｃ=-7.46191e-04 Ｄ=-1.48352e-03 Ｅ=6.38501e-04 
R11 k=3.57938e+00 Ｂ=-1.80595e-02 Ｃ=-1.96791e-02 Ｄ=1.66866e-02 Ｅ=-2.87093e-02 
数値実施例 ６ 
ｆ＝3.75〜 7.50  Ｆｎｏ＝ 3.37 〜 5.22  ２ω＝66.0゜ 〜 33.0゜
R 1 =  -31.370      D 1 =  0.70      N 1 = 1.868227      ν 1 = 31.2
R 2 =    2.385      D 2 =  0.35
R 3 =    3.016      D 3 =  1.00      N 2 = 1.850000      ν 2 = 23.0
R 4 =   11.332      D 4 =  可変
R 5 =    絞り       D 5 =  0.20
R 6 =    1.527      D 6 =  1.18      N 3 = 1.542380      ν 3 = 65.2
R 7 =   -5.292      D 7 =  0.15
R 8 =   -4.114      D 8 =  0.80      N 4 = 1.845205      ν 4 = 23.1
R 9 =  -17.586      D 9 =  可変
R10 =   -1.947      D10 =  0.70      N 5 = 1.487000      ν 5 = 70.4
R11 =   -6.236      D11 =  0.20
R12 =    ∞         D12 =  0.50      N 6 = 1.516330      ν 6 = 64.1
R13 =    ∞
＼焦点距離   3.75    5.65    7.50
可変間隔＼
D 4           2.76    1.13     0.40
D 9           1.66    1.45     1.23
D11           0.20    1.87     2.99
非球面係数
R2 k=6.23484e-01 Ｂ=-9.88389e-03 Ｃ=-2.35847e-04 Ｄ=-5.20928e-04 Ｅ=-2.12030e-04 
R6 k=-2.99906e-01 Ｂ=-3.75172e-03 Ｃ=1.01588e-02 Ｄ=-8.87873e-03 Ｅ=4.27479e-03 
R9 k=-2.70484e+02 Ｂ=3.21988e-02 Ｃ=2.48046e-02 Ｄ=-6.15934e-03 Ｅ=2.07440e-02 
R10 k=1.61416e-03 Ｂ=-8.48671e-04 Ｃ=-8.92357e-03 Ｄ=9.84619e-03 Ｅ=-1.27776e-03 
数値実施例  ７
ｆ＝2.79〜 5.57  Ｆｎｏ＝ 3.00 〜 4.61  ２ω＝69.8゜ 〜 35.8゜
R 1 =   14.782      D 1 =  0.51      N 1 = 1.882997      v 1 = 40.8
R 2 =    2.234      D 2 =  0.74
R 3 =    3.096      D 3 =  0.84      N 2 = 1.846660      v 2 = 23.8
R 4 =    6.267      D 4 =  可変
R 5 =    絞り       D 5 =  0.26
R 6 =    2.408      D 6 =  0.95      N 3 = 1.563839      v 3 = 60.7
R 7 =   -3.221      D 7 =  0.43      N 4 = 1.846660      v 4 = 23.8
R 8 =  -12.371      D 8 =  1.52
R 9 =    5.133      D 9 =  0.62      N 5 = 1.516330      v 5 = 64.1
R10 =   -7.862      D10 =  可変
R11 =   -2.754      D12 =  0.47      N 6 = 1.487490      v 6 = 70.2
R12 =   16.499      D13 =  可変
R13 =    ∞         D14 =  0.30      N 7 = 1.490000      v 7 = 75.0
R14 =    ∞         D15 =  0.05
R15 =    ∞         D16 =  0.50      N 8 = 1.516330      v 8 = 64.1
R16 =    ∞
＼焦点距離   2.79    4.61    5.57
可変間隔＼
D 4           3.89    1.51     1.05
D10           1.49    1.10     0.84
D13           0.10    1.65     2.68
非球面係数
R2 ｋ=-2.67696e-01 Ｂ=-1.17604e-03 Ｃ=2.20580e-04 Ｄ=-1.61847e-04 Ｅ=1.01800e-05 
R6 ｋ=-2.21639e-01 Ｂ=-2.31388e-03 Ｃ=-1.94769e-03 Ｄ=2.42509e-03 Ｅ=-1.02147e-03 
R10 ｋ=-4.50080e+01 Ｂ=6.18556e-03 Ｃ=2.71709e-03 Ｄ=1.17700e-03 Ｅ=2.72155e-06 
R12 ｋ=-7.31943e+01 Ｂ=-1.20829e-03 Ｃ=2.73391e-03 Ｄ=-1.84267e-03 Ｅ=1.75533e-04 
数値実施例 ８ 
ｆ＝3.80〜 7.37  Ｆｎｏ＝ 2.88 〜 4.15  ２ω＝63.2゜ 〜 33.6゜
R 1 =   45.450      D 1 =  0.60      N 1 = 1.882997      ν 1 = 40.8
R 2 =    2.428      D 2 =  0.67
R 3 =    3.655      D 3 =  0.70      N 2 = 1.805181      ν 2 = 25.4
R 4 =   14.200      D 4 =  可変
R 5 =    絞り       D 5 =  0.10
R 6 =    3.413      D 6 =  0.77      N 3 = 1.802380      ν 3 = 40.6
R 7 =   -4.793      D 7 =  0.28      N 4 = 1.846660      ν 4 = 23.9
R 8 =    6.802      D 8 =  0.52
R 9 =    5.396      D 9 =  0.69      N 5 = 1.487490      ν 5 = 70.2
R10 =   -4.197      D10 =  可変
R11 =   -2.368      D11 =  0.40      N 6 = 1.683780      ν 6 = 31.1
R12 =   -3.771      D12 =  1.00      N 7 = 1.834807      ν 7 = 42.7
R13 =   -4.878      D13 =  可変
R14 =    ∞         D14 =  0.70      N 8 = 1.516330      ν 8 = 64.1
R15 =    ∞
＼焦点距離   3.80    5.41    7.37
可変間隔＼
D 4           3.86    1.61     0.29
D10           2.31    2.20     2.00
D13           0.42    1.63     3.30
非球面係数
R2 ｋ=-2.78573e+00 Ｂ=1.89234e-02 Ｃ=-9.34853e-04 Ｄ=-9.77228e-06 Ｅ=1.00530e-05 
R6 ｋ=-1.69681e+00 Ｂ=9.70522e-04 Ｃ=-6.81401e-04 Ｄ=-4.84420e-05 Ｅ=3.19262e-05 
R11 ｋ=6.86797e-01 Ｂ=-9.09303e-03 Ｃ=2.03239e-03 Ｄ=-3.21742e-03 Ｅ=9.30778e-04 
数値実施例 ９ 
ｆ＝3.81〜 9.50  Ｆｎｏ＝ 3.00 〜 5.31  ２ω＝58.7゜ 〜 26.0゜
R 1 =    5.946      D 1 =  0.70      N 1 = 1.788001      ν 1 = 47.4
R 2 =    1.970      D 2 =  0.69
R 3 =    2.892      D 3 =  1.20      N 2 = 1.882997      ν 2 = 40.8
R 4 =    4.522      D 4 =  可変
R 5 =    絞り       D 5 =  0.10
R 6 =    2.987      D 6 =  0.90      N 3 = 1.772499      ν 3 = 49.6
R 7 =  -14.274      D 7 =  0.15
R 8 =    8.018      D 8 =  0.90      N 4 = 1.696797      ν 4 = 55.5
R 9 =   -8.169      D 9 =  0.15
R10 =   -9.105      D10 =  0.50      N 5 = 1.805181      ν 5 = 25.4
R11 =    2.388      D11 =  可変
R12 =  -11.451      D12 =  0.65      N 6 = 1.696797      ν 6 = 55.5
R13 =  -95.676      D13 =  可変
R14 =    6.041      D14 =  1.40      N 7 = 1.804000      ν 7 = 46.6
R15 =  -16.435      D15 =  0.50
R16 =    ∞         D16 =  0.70      N 8 = 1.516330      ν 8 = 64.1
R17 =    ∞ 
＼焦点距離   3.81    6.68    9.50
可変間隔＼
D 4           4.57    1.50     0.30
D11           0.56    1.31     1.91
D13           0.55    2.02     3.54
非球面係数
R2 k=-4.90593e-01 Ｂ=2.30689e-03 Ｃ=3.31740e-04 Ｄ=5.93882e-05 Ｅ=-7.87841e-06 
R6 k=-3.29528e+00 Ｂ=1.15539e-02 Ｃ=-6.90432e-04 Ｄ=-1.50807e-03 Ｅ=6.53520e-04 
R11 k=3.31062e+00 Ｂ=-1.70764e-02 Ｃ=-1.02641e-02 Ｄ=5.11689e-03 Ｅ=-1.77804e-02 
R13 k=-8.66766e+02 Ｂ=2.48248e-03 Ｃ=-1.78069e-04 Ｄ=-1.16401e-04 Ｅ=1.08022e-05 
数値実施例 １０ 
ｆ＝3.80〜 7.50  Ｆｎｏ＝ 2.88 〜 4.27  ２ω＝63.1゜ 〜 33.2゜
R 1 =   24.510      D 1 =  0.60      N 1 = 1.882997      ν 1 = 40.8
R 2 =    2.202      D 2 =  0.65
R 3 =    3.110      D 3 =  0.70      N 2 = 1.784723      ν 2 = 25.7
R 4 =   10.451      D 4 =  可変
R 5 =    絞り       D 5 =  0.10
R 6 =    3.102      D 6 =  0.96      N 3 = 1.802380      ν 3 = 40.6
R 7 =   -2.198      D 7 =  0.55      N 4 = 1.846660      ν 4 = 23.9
R 8 =  -28.385      D 8 =  可変
R 9 =   -9.004      D 9 =  0.82      N 5 = 1.487490      ν 5 = 70.2
R10 =   -3.619      D10 =  可変
R11 =   -1.693      D11 =  0.80      N 6 = 1.683780      ν 6 = 31.1
R12 =   -5.256      D12 =  1.00      N 7 = 1.882997      ν 7 = 40.8
R13 =   -3.926      D13 =  可変
R14 =    ∞         D14 =  0.70      N 8 = 1.516330      ν 8 = 64.1
R15 =    ∞
＼焦点距離   3.80    5.57    7.50
可変間隔＼
D 4           3.94    1.62     0.35
D 8           0.65    0.39     0.42
D10           1.38    1.27     1.09
D13           0.42    2.28     4.03
非球面係数
R2 k=-2.75498e+00 Ｂ=2.56422e-02 Ｃ=-1.81802e-03 Ｄ=3.16960e-04 Ｅ=-3.06669e-05 
R6 k=-7.04743e-01 Ｂ=-3.45818e-04 Ｃ=1.00069e-04 Ｄ=-2.79380e-04 Ｅ=4.38119e-05 
R11 k=1.12788e-01 Ｂ=-1.29336e-02 Ｃ=-2.17110e-03 Ｄ=-1.32894e-03 Ｅ=6.03417e-04 
【０１３８】
【表１】
2006119193.tif 000004
【０１３９】
次に本発明のズームレンズを用いた撮像装置の実施例を図３１を用いて説明する。
【０１４０】
図３１において１は携帯電話本体、２は本発明のズームレンズ４が取り付けられた撮像モジュールであり、ズームレンズ４と撮像素子５から構成されている。６は撮像モジュールにて撮影された画像データを記録する記録手段であり、７は撮影時及び再生時には撮影被写体の撮影像を表示するための液晶表示部である。
【０１４１】
このように本発明のズームレンズを携帯電話等の機器に適用することにより、小型で、高画質の画像を提供できる携帯機器を実現している。
【０１４２】
次に本発明のズームレンズを撮影光学系として用いたデジタルスチルカメラ（撮像装置）の実施例を図３２を用いて説明する。
【０１４３】
図３２において、２０はカメラ本体、２１は本発明のズームレンズによって構成された撮影光学系、２２はカメラ本体に内蔵され、撮影光学系２１によって形成された被写体像を受光するＣＣＤセンサやＣＭＯＳセンサ等の固体撮像素子（光電変換素子）、２３は撮像素子２２によって光電変換された被写体像に対応する情報を記録するメモリ、２４は液晶ディスプレイパネル等によって構成され、固体撮像素子２２上に形成された被写体像を観察するためのファインダーである。
【０１４４】
このように本発明のズームレンズをデジタルスチルカメラ等の撮像装置に適用することにより、小型で高い光学性能を有する撮像装置を実現している。
【図面の簡単な説明】
【０１４５】
【図１】本発明の数値実施例１のレンズ断面図
【図２】本発明の数値実施例１の広角端における諸収差
【図３】本発明の数値実施例１の望遠端における諸収差
【図４】本発明の数値実施例２のレンズ断面図
【図５】本発明の数値実施例２の広角端における諸収差
【図６】本発明の数値実施例２の望遠端における諸収差
【図７】本発明の数値実施例３のレンズ断面図
【図８】本発明の数値実施例３の広角端における諸収差
【図９】本発明の数値実施例３の望遠端における諸収差
【図１０】本発明の数値実施例４のレンズ断面図
【図１１】本発明の数値実施例４の広角端における諸収差
【図１２】本発明の数値実施例４の望遠端における諸収差
【図１３】本発明の数値実施例５のレンズ断面図
【図１４】本発明の数値実施例５の広角端における諸収差
【図１５】本発明の数値実施例５の望遠端における諸収差
【図１６】本発明の数値実施例６のレンズ断面図
【図１７】本発明の数値実施例６の広角端における諸収差
【図１８】本発明の数値実施例６の望遠端における諸収差
【図１９】本発明の数値実施例７のレンズ断面図
【図２０】本発明の数値実施例７の広角端における諸収差
【図２１】本発明の数値実施例７の望遠端における諸収差
【図２２】本発明の数値実施例８のレンズ断面図
【図２３】本発明の数値実施例８の広角端における諸収差
【図２４】本発明の数値実施例８の望遠端における諸収差
【図２５】本発明の数値実施例９のレンズ断面図
【図２６】本発明の数値実施例９の広角端における諸収差
【図２７】本発明の数値実施例９の望遠端における諸収差
【図２８】本発明の数値実施例１０のレンズ断面図
【図２９】本発明の数値実施例１０の広角端における諸収差
【図３０】本発明の数値実施例１０の望遠端における諸収差
【図３１】本発明の光学機器の実施例の要部概略図
【図３２】本発明の撮像装置の実施例の要部概略図
【符号の説明】
【０１４６】
Ｌ１    第１レンズ群
Ｌ２    第２レンズ群
Ｌ３    第３レンズ群
Ｌ４    第４レンズ群
ＳＰ    開口絞り
ＩＰ    像面
Ｇ      ガラスブロック
ｄ      ｄ線
ｇ      ｇ線
ΔＳ    サジタル像面
ΔＭ    メリディオナル像面
【図１】
2006119193.tif 000005
【図１６】
2006119193.tif 000006
【図１９】
2006119193.tif 000007
【図３１】
2006119193.tif 000008
【図２】
2006119193.tif 000009
【図３】
2006119193.tif 000010
【図４】
2006119193.tif 000011
【図５】
2006119193.tif 000012
【図６】
2006119193.tif 000013
【図７】
2006119193.tif 000014
【図８】
2006119193.tif 000015
【図９】
2006119193.tif 000016
【図１０】
2006119193.tif 000017
【図１１】
2006119193.tif 000018
【図１２】
2006119193.tif 000019
【図１３】
2006119193.tif 000020
【図１４】
2006119193.tif 000021
【図１５】
2006119193.tif 000022
【図１７】
2006119193.tif 000023
【図１８】
2006119193.tif 000024
【図２０】
2006119193.tif 000025
【図２１】
2006119193.tif 000026
【図２２】
2006119193.tif 000027
【図２３】
2006119193.tif 000028
【図２４】
2006119193.tif 000029
【図２５】
2006119193.tif 000030
【図２６】
2006119193.tif 000031
【図２７】
2006119193.tif 000032
【図２８】
2006119193.tif 000033
【図２９】
2006119193.tif 000034
【図３０】
2006119193.tif 000035
【図３２】
2006119193.tif 000036